(57)【要約】【課題】  容器本体を破損しにくくするとともに、脚体のある部位の加工性やデザイン性の向上を図る。【解決手段】  開口２を有した容器本体１と、容器本体１の底部３に上端部１１が接続される脚体１０と、脚体１０の下端部１２が接続され脚体１０を介して容器本体１を支持する台座体２０とを備え、脚体１０の上端部１１と容器本体１の底部３との上側接続部４及び脚体１０の下端部１２と台座体１０との下側接続部５を着脱手段３０Ａ，３０Ｂを介して着脱可能にし、脚体１０を覆う筒状の覆体４０を備え、この覆体４０の一端に容器本体１の底部３を支承する支承面４６を形成し、覆体４０の他端に台座体２０に支持される支持面４７を形成し、覆体４０の表面に、採取した手の握り形状に基づいて特定された凹凸４５を形成した。【選択図】  図１
2009165678.tif 000002
【特許請求の範囲】
【請求項１】
開口を有した容器本体と、該容器本体の底部に上端部が接続される脚体と、該脚体の下端部が接続され該脚体を介して上記容器本体を支持する台座体とを備えた脚付容器において、
上記脚体の上端部と上記容器本体の底部との上側接続部及び上記脚体の下端部と上記台座体との下側接続部のうち少なくとも上側接続部を着脱手段を介して着脱可能にし、上記脚体を覆う覆体を備えたことを特徴とする脚付容器。
【請求項２】
上記覆体を、上記脚体が挿通される挿通孔を有し該脚体が挿通された状態で該脚体を覆う筒状に形成したことを特徴とする請求項１記載の脚付容器。
【請求項３】
上記覆体の一端に上記容器本体の底部を支承する支承面を形成し、上記覆体の他端に上記台座体に支持される支持面を形成したことを特徴とする請求項２記載の脚付容器。
【請求項４】
上記容器本体の最大外径をＤＡ、上記覆体の支承面の直径をＤＢとしたとき、ＤＢ＝（０．７〜１）ＤＡになる比率関係にしたことを特徴とする請求項３記載の脚付容器。
【請求項５】
上記覆体の表面に、採取した手の握り形状に基づいて特定された凹凸を形成したことを特徴とする請求項１乃至４何れかに記載の脚付容器。
【請求項６】
上記着脱手段を、雄ネジと該雄ネジが螺合する雌ネジとで構成したことを特徴とする請求項１乃至５何れかに記載の脚付容器。
【請求項７】
上記上側接続部及び下側接続部を着脱手段を介して着脱可能にし、上記上側接続部において、上記着脱手段を、雄ネジと該雄ネジが螺合する雌ネジとで構成し、上記容器本体の底部に着脱手段の雄ネジを形成し、上記脚体の上端部に着脱手段の雌ネジを形成し、該脚体の上端部を一般部よりも大径に形成し、上記覆体に、上記脚体の一般部が挿通される挿通孔を形成し、該挿通孔の一端部に上記脚体の上端部が嵌合する嵌合凹部を形成したことを特徴とする請求項１乃至５何れかに記載の脚付容器。
【発明の詳細な説明】
【技術分野】
【０００１】
本発明は、ワイングラス，ブランデーグラスやシャンパングラス等の脚付容器に係り、特に、容器本体を脚体に対して着脱可能にした脚付容器に関する。
【背景技術】
【０００２】
一般に、図９（ａ）に示すように、ワイングラス，ブランデーグラスやシャンパングラス等の脚付容器Ｇａは、開口１０１を有した容器本体１００と、容器本体１００の底部１０２に上端が接続される脚体１０３と、脚体１０３の下端が接続され脚体１０３を介して容器本体１００を支持する台座体１０４とを備えて形成されている。ところで、このような脚付容器Ｇａにおいて、これがガラス製の場合には、落下時や洗浄時などにおいて、容器本体１００が割れたり、あるいは、脚体１０３が折れたりすることがしばしばあり、破損しやすく、高価なものであると、その損失が大きくなる。
【０００３】
そのため、従来においては、例えば、図９（ｂ）に示すような脚付容器Ｇｂが提案されている。この脚付容器Ｇｂは、脚体１０３の上端と容器本体１００の底部１０１との上側接続部１０５、及び、脚体１０３の下端と台座体１０４との下側接続１０６をネジ手段１０７を介して着脱可能にし、互いに、交換可能にして、部分的に破損しても、破損した部分を新しいものに交換できるようにている（例えば、特開２００１−３９４４５号公報、実開平６−５５７０号公報など参照）。
【０００４】
【特許文献１】特開２００１−３９４４５号公報
【特許文献２】実開平６−５５７０号公報
【発明の開示】
【発明が解決しようとする課題】
【０００５】
しかしながら、上記従来の脚付容器Ｇｂにあっては、容器本体１００と、脚体１０３と、台座体１０４とを互いに交換可能にしてはいるが、ガラス製の場合には、破損し易さにおいては改善がないという問題があった。また、脚体１０３を金属製にして、この部位の強度を増すことはできるが、容器本体１００や台座体１０４については同様に破損しやすさを改善できない。また、脚体１０３の加工性やデザイン性にも劣るという問題があった。
【０００６】
本発明は上記の問題点に鑑みて為されたもので、容器本体を破損しにくくするとともに、脚体のある部位の加工性やデザイン性の向上を図った脚付容器を提供することを目的とする。
【課題を解決するための手段】
【０００７】
このような目的を達成するための本発明の技術的手段は、開口を有した容器本体と、該容器本体の底部に上端部が接続される脚体と、該脚体の下端部が接続され該脚体を介して上記容器本体を支持する台座体とを備えた脚付容器において、
上記脚体の上端部と上記容器本体の底部との上側接続部及び上記脚体の下端部と上記台座体との下側接続部のうち少なくとも上側接続部を着脱手段を介して着脱可能にし、上記脚体を覆う覆体を備えた構成としている。
【０００８】
これにより、覆体は、脚体を覆うことから脚体より径が大きくなるので、それだけ、加工性が良いとともに、種々のデザインのものを用いることができ、デザイン性の向上も図られる。また、覆体は脚体より径が大きいので、それだけ、脚体が肉厚になっており、そのため、容器本体と脚体の上側接続部が覆体に覆われて隠されることになるとともに、脚体と台座体の下側接続部が覆体に覆われて隠されることになることから、上側接続部と下側接続部がそれだけ丈夫になり、洗浄時や落下時などにおいて、容器本体及び台座体は破損しにくくなる。もし、洗浄時や落下時などにおいて、容器本体や台座体等が破損したような場合には、破損した部分を、交換する。この場合、部分的な交換でよいので、経済性が向上する。
【０００９】
そして、必要に応じ、上記覆体を、上記脚体が挿通される挿通孔を有し該脚体が挿通された状態で該脚体を覆う筒状に形成している。脚体に挿通孔を挿通するだけで覆体を装着できるので、組立てが容易になる。
【００１０】
また、必要に応じ、上記覆体の一端に上記容器本体の底部を支承する支承面を形成し、上記覆体の他端に上記台座体に支持される支持面を形成した構成としている。覆体の一端に形成された支承面に容器本体の底部が当接して支承され、覆体の他端に形成された支持面が台座体に当接して支持されるので、この当接によって、容器本体及び台座体の保護が確実になり、それだけ、洗浄時や落下時などにおいて、破損しにくくなる。
この場合、上記容器本体の最大外径をＤＡ、上記覆体の支承面の直径をＤＢとしたとき、ＤＢ＝（０．７〜１）ＤＡになる比率関係にしたことが有効である。より望ましくは、ＤＢ＝（０．８〜１）ＤＡである。これにより、支承面によって支承される容器本体の底部の面積比が大きくなるので、容器本体の支持強度が増し、より一層破損しにくくすることができ、安定性を向上させることができる。
【００１１】
更に、必要に応じ、上記覆体の表面に、採取した手の握り形状に基づいて特定された凹凸を形成した構成としている。覆体は、採取した手の握り形状に基づいて特定された凹凸を有しているので、手，指が入り込んでフィット感がより良くなり、握り易さや持ちやすさが向上させられる、また、デザイン性も面白いものになる。
【００１２】
更にまた、必要に応じ、上記着脱手段を、雄ネジと該雄ネジが螺合する雌ネジとで構成している。簡易な手段で構成できる。また、結合も強固になる。
【００１３】
また、必要に応じ、上記上側接続部及び下側接続部を着脱手段を介して着脱可能にし、上記上側接続部において、上記着脱手段を、雄ネジと該雄ネジが螺合する雌ネジとで構成し、上記容器本体の底部に着脱手段の雄ネジを形成し、上記脚体の上端部に着脱手段の雌ネジを形成し、該脚体の上端部を一般部よりも大径に形成し、上記覆体に、上記脚体の一般部が挿通される挿通孔を形成し、該挿通孔の一端部に上記脚体の上端部が嵌合する嵌合凹部を形成した構成としている。
これにより、脚付容器を組み立てるときは、先ず、脚体の下端部を覆体の挿通孔の一端部側から挿入し、脚体の上端部を嵌合凹部に嵌合する。次に、脚体の下端部に台座体を取り付ける。この場合、脚体の上端部の段部が覆部の嵌合凹部に嵌合しているので、覆体は、脚体の上端部と台座体により挾持されて保持されることになり、覆体の保持が確実になる。
【発明の効果】
【００１４】
本発明の脚付容器によれば、覆体は、脚体を覆うことから脚体より径が大きくなるので、それだけ、加工性が向上させられるとともに、種々のデザインのものを用いることができ、デザイン性が向上させられる。また、覆体は脚体より径が大きいので、それだけ、脚体が肉厚になっており、そのため、容器本体と脚体の上側接続部が覆体に覆われて隠されることになるとともに、脚体と台座体の下側接続部が覆体に覆われて隠されることになることから、上側接続部と下側接続部がそれだけ丈夫になり、洗浄時や落下時などにおいて、容器本体及び台座体を破損しにくくすることができる。更に、もし、洗浄時や落下時などにおいて、容器本体や台座体等が破損したような場合には、破損した部分を、交換することができ、部分的な交換でよいことから、経済性を向上させることができる。
【発明を実施するための最良の形態】
【００１５】
以下、添付図面に基づいて、本発明の実施の形態に係る脚付容器について詳細に説明する。本実施の形態に係る脚付容器は、ワイングラス，ブランデーグラスやシャンパングラス等の用に供されるものである。
【００１６】
図１乃至図３に示すように、本発明の実施の形態に係る脚付容器Ｇは、開口２を有した容器本体１と、容器本体１の底部３に上端部１１が接続される脚体１０と、脚体１０の下端部１２が接続されこの脚体１０を介して容器本体１を支持する台座体２０とを備えて構成されている。
【００１７】
また、脚体１０の上端部１１と容器本体１の底部３との上側接続部４、及び、脚体１０の下端部１２と台座体２０との下側接続部５のうち少なくとも上側接続部４（実施の形態では上側接続部４及び下側接続部５の両方）を着脱手段３０Ａ，３０Ｂを介して着脱可能にしている。上側接続部４の着脱手段３０Ａは、雄ネジ３１と、この雄ネジ３１が螺合する雌ネジ３２とで構成されている。下側接続部５の着脱手段３０Ｂは、雄ネジ３３と、この雄ネジ３３が螺合する雌ネジ３４とで構成されている。着脱手段３０Ａ，３０Ｂを、雄ネジ３１，３３と雌ネジ３２，３４とで構成したので、簡易な手段で構成できる。また、結合も強固になる。
【００１８】
詳しくは、容器本体１は、ガラス製であり、カップ状に中心軸Ｐを中心に回転対称に形成されている。底部３の外側には、中心軸Ｐを中心とする上側接続部４の着脱手段３０Ａの雄ネジ３１が一体に突出形成されている。
【００１９】
また、脚体１０は、例えば、金属製の断面円形の棒状に形成されている。この脚体１０の上端部１１には、中心軸Ｐを中心とする上側接続部４の着脱手段３０Ａの雌ネジ３４が形成されている。この脚体１０の上端部１１は、一般部１３よりも大径の円柱状に形成されており、上端部１１と一般部１３との間に段部１４が形成されている。また、脚体１０の下端部１２には、下側接続部５の着脱手段３０Ｂの雌ネジ３４が形成されている。
【００２０】
更に、台座体２０は、例えば、ガラス製の円盤状に形成されている。台座体２０の上面外側には、中心軸Ｐを中心とする下側接続部５の着脱手段３０Ｂの雄ネジ３３が一体に突出形成されている。
【００２１】
そして、本脚付容器Ｇは、脚体１０を覆う例えば木製の覆体４０を備えている。覆体４０は、脚体１０が挿通される挿通孔４１を有し、脚体１０が挿通された状態で脚体１０を覆う筒状に形成されている。詳しくは、覆体４０には、中心軸Ｐに沿って貫通し脚体１０の一般部１３が挿通される挿通孔４１が形成されており、挿通孔４１の一端部には、脚体１０の上端部１１が嵌合しこの上端部１１の段部１４が当接する段差部４３を有した円柱状の嵌合凹部４２が形成されている。挿通孔４１の長さと脚体１０の長さとは同じ長さに設定されている。
【００２２】
また、覆体４０の一端には、容器本体１の底部３の雄ネジ３１周囲を支承する円弧面状の支承面４６が形成されている一方、覆体４０の他端には、台座体２０の雄ネジ３３周囲に支持される支持面４７が形成されている。
そして、容器本体１の最大外径をＤＡ、覆体４０の支承面４６の直径をＤＢとしたとき、ＤＢ＝（０．７〜１）ＤＡになる比率関係に設定されている。より望ましくは、ＤＢ＝（０．８〜１）ＤＡである。実施の形態では、ＤＢ＝０．８ＤＡに設定されている。
【００２３】
更に、覆体４０の表面には、採取した手の握り形状に基づいて特定された凹凸４５が形成されている。この覆体４０は、例えば、以下のようにして製造される。先ず、覆体４０の形状データを作成し、この形状データに基づいて木材を切削加工して作成する。
【００２４】
凹凸４５の製造においては、先ず、図示外の握り型を用いて手の握り形状を採取する。握り型は手で握られることにより塑性変形して手の握り形状が転写される。握り型としては例えば熱可塑性のポリエステル系樹脂が用いられ、湯などで加温することにより軟らかくなって手の握り形状を採取可能になり、冷えると硬化して手の握り形状を保持する。そして、この握り型から、立体スキャナ（図示せず）を用いて、握り型の形状のデータを取得する。手の握り形状は、個人ごとに異なることから、例えば、数百人〜数千人分の握り型を集めてデータベース化しておく。そして、これらのデータに基づいて、コンピュータにより、人間の指が入りやすいような凹凸４５の形状を適宜算出し、覆体４０の形状データを作成する。
覆体４０を作成する際は、例えば、周知の三次元切削加工機（図示せず）により、覆体４０の形状データに基づいて覆体４０を構成する木材を直接切削により加工する。この場合、木材を加工するので、ガラスの加工に比較して加工性が向上させられる。
【００２５】
従って、この実施の形態に係る脚付容器Ｇを組み立てるときは、先ず、脚体１０の下端部１２を覆体４０の挿通孔４１の一端部側から挿入し、脚体１０の上端部１１を嵌合凹部４２に嵌合する。脚体１０に挿通孔４１を挿通するだけで覆体４０を装着できるので、組立てが容易になる。
次に、脚体１０の下端部１２に台座体２０を取り付ける。取り付けの際には、台座体２０の雄ネジ３３を脚体１０の下端部１２側の雌ネジ３４にねじ込んで行なう。この場合、脚体１０の上端部１１の段部１４が覆体４０の嵌合凹部４２の段差部４３に当接するので、覆体４０は、脚体１０の段部１４と台座体２０により挾持されて保持される。そのため、覆体４０の保持が確実になる。
【００２６】
それから、容器本体１の雄ネジ３１を脚体１０の上端部１１側の雌ネジ３２にねじ込む。これにより、脚付容器Ｇが完成する。この状態では、覆体４０の一端に形成された支承面４６に容器本体１の底部３が当接して支承され、覆体４０の他端に形成された支持面４７が台座体２０に当接して支持される。そのため、容器本体１の保持が確実になる。
【００２７】
このように組み立てられた脚付容器Ｇにおいては、覆体４０は、脚体１０を覆うとともに、脚体１０より径が大きいので、加工性が良いとともに、種々のデザインのものを用いることができ、それだけ、デザイン性の向上も図られる。特に、覆体４０は、採取した手の握り形状に基づいて特定された凹凸４５を有しているので、手，指が入り込んでフィット感がより良くなり、握り易さや持ちやすさが向上させられる、また、デザイン性も面白いものになる。
【００２８】
また、脚体１０は金属製であり、覆体４０は木製であることから、脚体１０及び覆体４０が、洗浄時や落下時などにおいて、破損してしまう事態が抑制される。更に、覆体４０は脚体１０より径が大きいので、それだけ、脚体１０が肉厚になっており、そのため、容器本体１と脚体１０の上側接続部４が覆体４０に覆われて隠されることになるとともに、脚体１０と台座体２０の下側接続部５が覆体４０に覆われて隠されることになることから、上側接続部４と下側接続部５がそれだけ丈夫になり、洗浄時や落下時などにおいて、容器本体１及び台座体２０は破損しにくくなる。また、覆体４０の一端に形成された支承面４６に容器本体１の底部３が当接して支承され、覆体４０の他端に形成された支持面４７が台座体２０に当接して支持されるので、この当接によっても、容器本体１及び台座体２０の保護が確実になり、それだけ、洗浄時や落下時などにおいて、破損しにくくなる。更に、容器本体１の最大外径ＤＡと覆体４０の支承面４６の直径ＤＢとが、ＤＢ＝（０．７〜１）ＤＡになる比率関係に設定されているので、支承面４６によって支承される容器本体１の底部３の面積比が大きくなることから、容器本体１の支持強度が増し、より一層破損しにくくなり、安定性が向上させられる。
【００２９】
もし、洗浄時や落下時などにおいて、容器本体１や台座体２０が破損したような場合には、破損した部分を、交換する。この場合、部分的な交換でよいので、経済性が向上する。即ち、一般的に多くのワイングラス等の脚付容器は、ガラス材質の鋳型一体成型あるいは吹きガラスの手法等で作成されているが、脚付容器Ｇを倒したり、洗浄中に落としたり、飲もうとして手から滑り落としたりして、割る事が多いのが現状であるが、本実施の形態に係る脚付容器Ｇは各部がセパレートになっているので、交換可能になっており、この構造によって、破損した部分を交換することができ、特に、容器本体１は壊れやすいことから、容器本体１のみの交換ができることで、全体を捨てないで長年用いることができるようになる。
【００３０】
図４には、他の実施の形態に係る脚付容器Ｇを示している。これは上記と異なって、容器本体を細長状に形成したもので、容器本体１の最大外径ＤＡと覆体４０の支承面４６の直径ＤＢとの関係を、ＤＢ＝０．８５ＤＡになる比率関係に設定したものである。支承面４６によって支承される容器本体１の底部３の面積比がより一層大きくなることから、容器本体１の支持強度が増し、より一層破損しにくくなり、安定性が向上させられる。
図５には、別の実施の形態に係る脚付容器Ｇを示している。これは上記と異なって、脚体１０と台座体２０を一体にし、上側接続部４を着脱手段３０Ａにより着脱可能にしたものである。部品点数が少なくなるので、それだけ、製造を容易にし、部品管理上も有利になる。
【００３１】
尚、上記実施の形態において、容器本体１，脚体１０，台座体２０及び覆体４０の各部の大きさや形状は上述したものに限定されない。例えば、図６に示す覆体４０は、一体ではなく、横割りに分割形成したものを連設して構成してある。また、図７に示すように、覆体４０は、縦割りに分割形成したものを接着剤などで接合して構成してもよい。あるいは、覆体４０は、金属などで筒状で穴明きの格子状に形成してもよい。また、木材の材質に滑りにくい材質のひも状のものを巻掛けてもよく、形態はどのようなものでも良い。更に、台座体２０は、容器本体１に合わせて、大きさや形状を変えてよい。また、素材を重い素材にして倒れにくくすることが望ましい。下にゴムを装着する事も可能である。
【００３２】
尚また、上記実施の形態において、容器本体１，脚体１０，台座体２０及び覆体４０の各部の材質は、上述したものに限定されない。
容器本体１及び台座体２０は、上記のガラスに限定されるものではなく、例えば、陶磁器，セラミック，プラスチック，銅等の金属，木材等、どのような材質のものでも良い。容器本体１と台座体２０との材質は互いに異なっても良いことは勿論である。
【００３３】
脚体１０も同様に、上記の金属に限定されるものではなく、例えば、ガラス，陶磁器，セラミック，プラスチック，木材等、どのような材質のものでも良い。
但し、剛性の低い例えばゴムなどでは容器本体１の支持が不安定になるので、単独で容器本体１を支持できる剛性を有した材質が望ましい。
【００３４】
覆体４０も同様に、上記の木材に限定されるものではなく、例えば、ゴム（粘着性のものでも良い），ガラス，陶磁器，セラミック，プラスチック，金属等、どのような材質のものでも良い。覆体４０の製造は、材質によって、切削加工によらず型成形で製造しても良い。例えば、金属製鋳物で形成してよい。
覆体４０は、ボディーとなっている部分であり、指から滑りにくい材質を使う事ができる。一般的な窪みや、指が滑りにくい凹みを持つ事によって、さらに滑りにくくできる。また、個人一人一人の握り象をオーダーメードするなど、特別に仕上げる事も可能となる。表面に塗装をしても良い。木材などは、漆等を塗ると、さらに高級感を出すことができる。
【００３５】
また、着脱手段３０Ａ，３０Ｂを、雄ネジ３１，３３と雌ネジ３２，３４とで構成したが、必ずしもこれに限定されるものではなく、例えば、差込式にし、あるいは、ピンを差し込んで止めるなど、適宜の構成としてよいことは勿論である。更に、上記着脱手段３０Ａ，３０Ｂにおいて、容器本体１に雌ネジ３２を形成し、脚体１０に雄ネジ３１を形成するなど、雄ネジ３１と雌ネジ３２との関係、雄ネジ３３と雌ネジ３４との関係を、逆にしても良い。更にまた、例えば、ガラス製の容器本体１において、図８に示すように、雄ネジ３１を金属製のインサートボルトで構成し、この一端を溶融ガラスに埋設して取り付けるようにする等、雄ネジ３１，３３及び雌ネジ３２，３４の形成部位を、別な材質で形成しても良い。
【図面の簡単な説明】
【００３６】
【図１】本発明の実施の形態に係る脚付容器を示す分解斜視図である。
【図２】本発明の実施の形態に係る脚付容器を示す斜視図である。
【図３】本発明の実施の形態に係る脚付容器を示す断面図である。
【図４】本発明の他の実施の形態に係る脚付容器を示す斜視図である。
【図５】本発明の別の実施の形態に係る脚付容器を示す断面図である。
【図６】本発明の実施の形態に係る覆体の変形例を示す斜視図である。
【図７】本発明の実施の形態に係る覆体の別の変形例を示す斜視図である。
【図８】本発明の実施の形態にかかる着脱手段の別の例を示す斜視図である。
【図９】従来の脚付容器の一例を示す断面図である。
【符号の説明】
【００３７】
Ｇ  脚付容器
１  容器本体
２  開口
３  底部
４  上側接続部
５  下側接続部
１０  脚体
１１  上端部
１２  下端部
１３  一般部
１４  段部
２０  台座体
３０Ａ，３０Ｂ  着脱手段
３１，３３  雄ネジ
３２，３４  雌ネジ
Ｐ  中心軸
４０  覆体
４１  挿通孔
４２  嵌合凹部
４３  段差部
４５  凹凸
４６  支承面
４７  支持面
【図１】
2009165678.tif 000003
【図２】
2009165678.tif 000004
【図３】
2009165678.tif 000005
【図４】
2009165678.tif 000006
【図５】
2009165678.tif 000007
【図６】
2009165678.tif 000008
【図７】
2009165678.tif 000009
【図８】
2009165678.tif 000010
【図９】
2009165678.tif 000011